(57)【特許請求の範囲】
【請求項１】
マニホールドに設けられる横方向の溶融樹脂の流通路と、この流通路と連通する縦方向の流通路を備え、前記横方向の流通路を貫通し、かつ前記縦方向の流通路内を縦装するバルブピンを設け、溶融樹脂を前記マニホールドの横方向の流通路より縦方向の流通路を経てゲートを介してキャビティに射出可能とすると共に、前記バルブピンのマニホールドの流通路に挿通させる箇所に管状の樹脂流変更用スリーブ片を配設し、前記スリーブ片の端部のマニホールドの流通路に対応して臨まれる箇所に傾斜面を設けると共に、前記スリーブ片を溶融樹脂の色替え時にバルブピンを中心に回転可能に設けて溶融樹脂の流通方向を可変してバルブピン後方の溶融樹脂の流出側の樹脂滞留部内の旧い樹脂を取り除くことができるようにして成ることを特徴とする樹脂成形機のバルブスリーブ回転による色替え装置。
【請求項２】
管状の樹脂流変更用スリーブ片は、金型内に設けた駆動手段によりバルブピンを中心とした回動偏倚できるようにして成ることを特徴とする請求項１記載の樹脂成形機のバルブスリーブ回転による色替え装置。
【請求項３】
駆動手段は、摘子を有する回転軸の先端に噛合部を備え、管状の樹脂流変更スリーブ片の噛合部と噛合させて成ることを特徴とする請求項２記載の樹脂成形機のバルブスリーブ回転による色替え装置。
【発明の詳細な説明】
【技術分野】
【０００１】
本発明は、成形樹脂原料の色替え交換時の滞留溶融樹脂を簡単に無くすようにした樹脂成形機のバルブスリーブ回転による色替え装置に関する。
【背景技術】
【０００２】
一般に各種樹脂成形機における溶融樹脂を原料とするホットランナーの成形加工では、成形品の色彩ないしは素材原料を途中で変更する場合がある。
【０００３】
この場合、金型内の溶融樹脂の流通路には、前の溶融樹脂が残留しているので、新しい原料を試験的に流出させて残留樹脂を除去しなければならない（例えば、特許文献１参照）。
【先行技術文献】
【特許文献】
【０００４】
【特許文献１】特開２００３−１２７１７８号公報
【発明の概要】
【発明が解決しようとする課題】
【０００５】
樹脂成形機のマニホールドを貫通するバルブピンを用いてゲートを開閉する場合は、マニホールドにおいてバルブピンの樹脂流通路の当接する前面の反対側、即ち、後面側に残留量が多く滞留し、中々容易に取り除くことができないという問題があった。
【０００６】
即ち、溶融樹脂の流通路とバルブピンが交差する部分である流動樹脂がバルブピンにより２分割され、バルブピン裏側で合流するが、合流点で流速が落ち滞留しがちとなる。色替えの場合は、この滞留部に残った色替え前の樹脂を少しずつ引き出し、なかなか色替えできないという問題があった。
【０００７】
本発明は叙上の点に着目して成されたもので、バルブピンに配設したスリーブ片の回転によりバルブピンの樹脂合流部の滞留部の位置を変えて滞留部の残留樹脂を交換しようとする新しい樹脂で除去できるようにした樹脂成形機のバルブスリーブ回転による色替え装置を提供するものである。
【課題を解決するための手段】
【０００８】
本発明は叙上の課題を解決するために以下の技術的構成を有する。
【０００９】
（１）マニホールドに設けられる横方向の溶融樹脂の流通路と、この流通路と連通する縦方向の流通路を備え、前記横方向の流通路を貫通し、かつ前記縦方向の流通路内を縦装するバルブピンを設け、溶融樹脂を前記マニホールドの横方向の流通路より縦方向の流通路を経てゲートを介してキャビティに射出可能とすると共に、前記バルブピンのマニホールドの流通路に挿通させる箇所に管状の樹脂流変更用スリーブ片を配設し、前記スリーブ片の端部のマニホールドの流通路に対応して臨まれる箇所に傾斜面を設けると共に、前記スリーブ片を溶融樹脂の色替え時にバルブピンを中心に回転可能に設けて溶融樹脂の流通方向を可変してバルブピン後方の溶融樹脂の流出側の樹脂滞留部内の旧い樹脂を取り除くことができるようにして成ることを特徴とする樹脂成形機のバルブスリーブ回転による色替え装置。
【００１０】
（２）管状の樹脂流変更用スリーブ片は、金型内に設けた駆動手段によりバルブピンを中心とした回動偏倚できるようにして成ることを特徴とする前記（１）記載の樹脂成形機のバルブスリーブ回転による色替え装置。
【００１１】
（３）駆動手段は、摘子を有する回転軸の先端に噛合部を備え、管状の樹脂流変更スリーブ片の噛合部と噛合させて成ることを特徴とする前記（２）記載の樹脂成形機のバルブスリーブ回転による色替え装置。
【発明の効果】
【００１２】
本発明によれば、マニホールド内に縦装させたバルブピンの樹脂流後方に形成される樹脂残留部に滞留する旧い樹脂を新たな樹脂が流通する過程で、管状の樹脂流変更用スリーブ片を回動偏倚させてスリーブ片の傾斜面を旧い樹脂の流れの方向と異ならせて、新たな樹脂の流れの方向を形成し、バルブピンの後方に形成された旧い樹脂の滞留部の樹脂を流し去ることができるので、色替樹脂によるためし成形作用を少なくして速やかな色替え樹脂成形を行うことができる。
【００１３】
そして、樹脂変更用スリーブ片は、スパナーなどの工具で回転させることができるが、歯車構成を用いて金型外からも簡単に遠隔制御して有効な色替え時の効率的な新しい樹脂への交換作業を行わせることができる。
【図面の簡単な説明】
【００１４】
【図１】本発明に係る色替え装置の全体の構成図
【図２】図１の要部構成である樹脂流変更用スリーブ片の装着状態を示す要部の拡大断面図
【図３】図２の樹脂流変更用スリーブ片の傾斜面と樹脂の流通路との関係を示す図で、（ａ）は縦断面図、（ｂ）は横断面図
【図４】図３における樹脂流変更用スリーブ片の作動状態を示すもので、（ａ）は縦断面図、（ｂ）は横断面図
【図５】本発明に係る駆動手段の一例を示す説明断面図
【発明を実施するための形態】
【００１５】
以下に、本発明の一実施例を図面と共に説明する。
【実施例】
【００１６】
１は樹脂成形機の金型、２は溶融樹脂が流通するマニホールド、３は溶融樹脂の流通路、４は前記マニホールド２と連通する溶融樹脂の流通路で、前記溶融樹脂の流通路３と直交して設けられる。５はバルブピンを示し、基端にはピストン６が設けられ、金型１内に設けられるシリンダー７内に配設されて大気圧又は油圧などの作動流体でシリンダー７内のピストン６は往復動し、バルブピン５は前記溶融樹脂の流通路３及び４内で連動して往復動する。８はキャビティに通ずるゲートを示し、前記バルブピン５の先端部９で開閉される。
【００１７】
１０はバルブピン５に挿通される管状の樹脂流変更用スリーブ片で、先端には傾斜面１１が形成され、マニホールド２の溶融樹脂の流通路４に臨まれ、前記流通路４を流れる溶融樹脂の流通方向Ｗを変えるように働く。そして、溶融樹脂の流通路４に臨まれるバルブピン５の後方に樹脂滞留部Ｘが形成される。
【００１８】
１２は前記樹脂流変更用スリーブ片１０を回転させるための駆動手段で、簡単には金型１の間隙又は一部を取り外すなどして樹脂流変更用スリーブ片１０に対して、スパナーなどの工具（図示せず）を用いて樹脂流変更用スリーブ片１０の頭部を係止又は把持させて好みの角度に回動させて傾斜面１１の位置を変更させ、バルブピン５の樹脂滞留部Ｘへの溶融樹脂の流通状態を変化させることができる。なお、前記傾斜面１１はテーパー状とか円弧状など好みの形状に形成でき、樹脂流を滑らかに案内させることができる。
【００１９】
叙上の構成に基づいて、作用を説明する。
【００２０】
最初の樹脂で樹脂成形処理された後、新たな樹脂、即ち色替えされた新しい樹脂で樹脂成形する際、金型１の溶融樹脂の流通路３，４には残留した旧い樹脂のため新たな色替え樹脂は、ためし取り成形処理が行われる。
【００２１】
その際、樹脂滞留部Ｘでの残留樹脂を速やかに除去するためのバルブピン５に挿通されている管状の樹脂流変更用スリーブ片１０を回動変位させる。
【００２２】
この変位により樹脂流変更用スリーブ片１０の先端の傾斜面１１は溶融樹脂の流通方向Ｗと異なった状態で対抗するので、新たな樹脂はバルブピン５による分流状態が異なり、樹脂滞留部Ｘには新たな樹脂が侵入し、残留している旧い樹脂を押し出して、旧い樹脂の残留分は、少ない数のためし取り成形で残留樹脂分は綺麗に取り除くことができる。
【００２３】
そして、完全に新しい樹脂に変換された時点で樹脂流変更用スリーブ片１０を前記したスパナーなどの工具を用いて現状の状態に回動させて、以後新しい樹脂による反覆樹脂成形処理を行わせることができる。
【００２４】
つぎに図５に基づいて樹脂流変更用スリーブ片１０の駆動手段１２について、一例を示す。
【００２５】
１３は樹脂流変更用スリーブ片１０の頂部に設けた受動用の噛合部、１４は前記噛合部１３と噛合する駆動用の噛合部で、ベベルギヤ構成を備える。１５は前記噛合部１４の軸杆で金型１内を挿通軸支させて金型１外に突出させて摘子１６を固着してある。
【００２６】
従って、摘子１６を指頭で把持して左右いずれかの方向へ回転させればベベルギヤの噛合部１４の回転作用は噛合部１３との噛合で樹脂流変更用スリーブ片１０を回動させることができる。
【００２７】
色替えのためのためし取り成形修了後、摘子１６を反対方向に回転させて元の状態に戻すことにより、新たな樹脂による成形操作を行わせることができる。
【００２８】
なお、駆動手段１２の一例を示したが、その他種々、好みの構成の駆動手段を採用できる。
【符号の説明】
【００２９】
１        金型
２        マニホールド
３，４    流通路
５        バルブピン
６        ピストン
７        シリンダー
８        ゲート
９        先端部
１０        樹脂流変更用スリーブ片
１１        傾斜面
１２        駆動手段
１３，１４  噛合部
１５        軸杆
１６        摘子
Ｘ        樹脂滞留部
Ｗ        溶融樹脂の流通方向
【図１】
0005634970.tif 000002
【図２】
0005634970.tif 000003
【図３】
0005634970.tif 000004
【図４】
0005634970.tif 000005
【図５】
0005634970.tif 000006